(57)【要約】【課題】  必要に応じて上流システムからの患者情報の撮影処理を実行するのかあるいは操作表示部を介して入力された患者情報の撮影処理を実行するのかを明確にする。【解決手段】  外部から受信手段によって患者の識別情報を受信したときに操作手段を介して患者情報が入力されている場合、前記受信手段によって受信された患者の識別情報に対応する患者情報とともに検査処理に移行するためのオブジェクトを表示手段に表示させ、前記受信手段によって患者情報を受信したときに前記操作手段を介して患者情報が入力されていない場合、前記オブジェクトを前記表示手段に表示させずに前記検査処理に移行する情報処理手段と、を有することを特徴とする医療用検査システムを提供する。【選択図】  図２
2008276288.tif 000002
【特許請求の範囲】
【請求項１】
外部から患者の識別情報を受信する受信手段と、
患者に関する患者情報を入力するための操作手段と、
前記受信手段によって患者の識別情報を受信したときに前記操作手段を介して患者情報が入力されている場合、前記受信手段によって受信された患者の識別情報に対応する患者情報とともに検査処理に移行するためのオブジェクトを表示手段に表示させ、前記受信手段によって患者情報を受信したときに前記操作手段を介して患者情報が入力されていない場合、前記オブジェクトを前記表示手段に表示させずに前記検査処理に移行する情報処理手段と、
を有することを特徴とする医療用検査システム。
【請求項２】
請求項１において、前記情報処理手段は、前記受信手段によって患者の識別情報を受信したときに前記操作手段を介して患者情報が入力されていない場合、前記オブジェクトを前記表示手段に表示させずに前記受信手段によって受信された患者の識別情報に対応する患者情報を表示手段に表示させることを特徴とする医療用検査システム。
【請求項３】
請求項２において、前記情報処理手段は、前記オブジェクトを前記表示手段に表示させずに前記受信手段によって受信された患者の識別情報に対応する患者情報を表示手段に表示させるための時間を設定する設定手段を有することを特徴とする医療用検査システム。
【請求項４】
外部から患者の識別情報を受信する受信手段と、
患者に関する患者情報を入力するための操作手段と、
前記受信手段によって患者の識別情報を受信したときに前記操作手段を介して患者情報が入力されている場合、前記受信手段によって受信された患者の識別情報に対応する患者情報を検査予約情報として登録する情報処理手段とを有することを特徴とする医療用検査システム。
【請求項５】
請求項４において、前記情報処理手段は、前記受信手段によって患者の識別情報を受信したときに前記操作手段を介して患者情報が入力されている場合、前記受信手段によって受信された患者の識別情報に対応する患者情報を表示手段に表示させることを特徴とする医療用検査システム。
【請求項６】
医療用検査システムの処理方法であって、外部から受信手段によって患者の識別情報を受信したときに操作手段を介して患者に関する患者情報が入力されている場合、前記受信手段によって受信された患者の識別情報に対応する患者情報とともに検査処理に移行するためのオブジェクトを表示手段に表示させ、前記受信手段によって患者情報を受信したときに前記操作手段を介して患者情報が入力されていない場合、前記オブジェクトを前記表示手段に表示させずに前記検査処理に移行することを特徴とする医療用検査システムの処理方法。
【請求項７】
医療用検査システムの処理方法であって、外部から受信手段によって患者の識別情報を受信したときに操作手段を介して患者に関する患者情報が入力されている場合、前記受信手段によって受信された患者の識別情報に対応する患者情報を検査予約情報として登録することを特徴とする医療用検査システムの処理方法。
【請求項８】
請求項６または７のいずれか１項に記載の医療用検査システムの処理方法をコンピュータに実行させるためのプログラム。
【請求項９】
請求項８に記載のプログラムを記憶したコンピュータ可読記憶媒体。
【発明の詳細な説明】
【技術分野】
【０００１】
本発明は、患者情報を入力し、Ｘ線撮影装置などによって検査を行うための検査情報処理装置およびその方法に関するものである。
【背景技術】
【０００２】
近年病院では、病院内の各部門間でＨＩＳ（Ｈｏｓｐｉｔａｌ  Ｉｎｆｏｒｍａｔｉｏｎ  Ｓｙｓｔｅｍ）と呼ばれる病院情報システムを構築している。また、各部門内に於いても、例えば放射線部門ではＲＩＳ（Ｒａｄｉｏｌｏｇｙ  Ｉｎｆｏｒｍａｔｉｏｎ  Ｓｙｓｔｅｍ）など各部門に合わせた情報システムを構築し、情報伝達のオンライン化を進めている。このような情報システムにおいては、サーバ内の患者データベースに記録した検査結果を端末で検索して参照するだけでなく、医師による検査依頼情報を検査オーダとして依頼先の別の部門に伝達することもできる。
【０００３】
図１７は、病院内のネットワークの例を示したものである。ＨＩＳ１０１９は、各部門間ネットワークで接続する情報システムである。ＨＩＳ１０１９は、サーバ１０２０を有する。部門１０２１，１０２２は、例えば、会計部門、薬剤部門、診察部門（内科部門、外科部門、整形外科部門など）などがある。各部門１０２１，１０２２内にはパーソナルコンピュータなどによって構成されるＨＩＳ端末１０２３、１０２４がある。また、ＲＩＳ１０１０は、放射線部門内の情報システムである。ＲＩＳ１０１０は、画像サーバ１０１３、ＨＩＳ１０１９とＲＩＳ１０１０とをつなぐゲートウェイ１０１４、放射線部門１０１２に備えられるパーソナルコンピュータなどによって構成されるＲＩＳ端末１０１１を有する。図１７に示すＲＩＳ１０１０では、撮影室Ａ１０１５および撮影室Ｂ１０１６にそれぞれ検査システムＡ１０１７，検査システムＢ１０１８が設置されている。
【０００４】
外来の患者である被検者Ａは、外来受付を終了すると、図１７の各部門１０２１，１０２２などで診断が行われる。その際、複数の部門において診断が必要な場合がある。診断の結果、医者によって例えばＸ線撮影が必要と判断されると、ＨＩＳ端末１０２３より検査の依頼情報が入力されると、依頼先である放射線部門１０１２にその依頼情報が伝達される。この医師の指示する依頼情報を検査オーダといい、この検査オーダには、依頼元の部門名や、Ｘ線撮影であれば「撮影部位：胸部正面、胸部側面」といった検査項目、また患者の個人データなどの情報が含まれる。放射線部門１０１２は、検査オーダを受信すると、撮影条件などの情報を付加し、適切な検査システム１０１７または１０１８へ転送する。
【０００５】
例えば、部門１０２１を外科部門、部門１０２２を整形外科部門、撮影室Ａ１０１５の検査システム１０１７をＸ線検査システムとする。被検者Ａが外来受付を済ませ、外科部門１０２１の診断により胸部正面および胸部側面のＸ線撮影が必要と判断されると、医師はＨＩＳ端末１０２３より検査オーダを入力する。入力された検査オーダは、撮影室１０１５のＸ線検査システム１０１７へ転送される（例えば特許文献１参照）。
【特許文献１】特開２００６−３３０８１５号公報
【発明の開示】
【発明が解決しようとする課題】
【０００６】
しかしながら、従来の方法ではＸ線検査システムにおいてユーザが操作をしている時に、上流システム（ＨＩＳシステム）からの検査オーダを受信すると検査オーダの入力の衝突が起こる可能性がある。この場合、どちらの検査オーダで撮影を行うのか判断がつきにくい事態が生じるおそれがある。
【０００７】
このような事態を避けるために、どちらか一方の検査オーダしか受け付けないような状態をユーザの切り替え操作によって作る必要がある。その場合、切り替え操作をユーザに求めることで操作が煩雑になってしまうことになる。
【課題を解決するための手段】
【０００８】
上述した目的を達成するために、外部から患者の識別情報を受信する受信手段と、患者に関する患者情報を入力するための操作手段と、前記受信手段によって患者の識別情報を受信したときに前記操作手段を介して患者情報が入力されている場合、前記受信手段によって受信された患者の識別情報に対応する患者情報とともに検査処理に移行するためのオブジェクトを表示手段に表示させ、前記受信手段によって患者情報を受信したときに前記操作手段を介して患者情報が入力されていない場合、前記オブジェクトを前記表示手段に表示させずに前記検査処理に移行する情報処理手段と、を有することを特徴とする医療用検査システムを提供する。
【０００９】
また、外部から患者の識別情報を受信する受信手段と、患者に関する患者情報を入力するための操作手段と、前記受信手段によって患者の識別情報を受信したときに前記操作手段を介して患者情報が入力されている場合、前記受信手段によって受信された患者の識別情報に対応する患者情報を検査予約情報として登録する情報処理手段とを有することを特徴とする医療用検査システムを提供する。
【発明の効果】
【００１０】
本発明は、かかる問題点に鑑みなされたものであり、ユーザ自身が入力した検査オーダに基づいて撮影を行うのか、あるいは上流システムからの検査オーダであるのかを容易に判断できる装置を提供することを目的とする。
【発明を実施するための最良の形態】
【００１１】
以下、添付の図面に沿って本発明の実施の形態を説明する。
【００１２】
＜システム構成の説明＞
図１は、第一実施形態の医療用検査システムであるところのＸ線撮影システムの構成を示す図である。Ｘ線撮影システムは、Ｘ線発生装置であるＸ線管球１０００，Ｘ線発生装置制御部１００１，センサ１００３を有するセンサユニット１００２，撮影システム制御装置１００４，操作表示部１００５を有する。
【００１３】
Ｘ線発生装置制御部１００１は、Ｘ線撮影システム制御装置１００４からの管電流や管電圧、照射時間等の撮影条件に関する情報に基づいて、Ｘ線管球１０００への高電圧の印加を制御し、Ｘ線の発生を制御する。
【００１４】
撮影システム制御装置１００４は、撮影ユニット１００３から得られたディジタル画像信号を処理したり、Ｘ線発生装置制御部１００１に対して撮影条件などの各種制御情報を行ったりする。撮影システム制御装置１００４は、ハードウエアとして、ソフトウエアプログラムを格納するコンピュータ可読記憶媒体であるＲＯＭ，ＲＯＭに記憶されたソフトウエアプログラムを展開するためのＲＡＭを有する。さらに、撮影システム制御装置１００４は、展開されたソフトウエアプログラムに基づいてシステム全体を統括制御するＣＰＵを有する。
【００１５】
操作表示部１００５は、患者情報の入力、過去患者リストから患者の検索・選択、撮影モードへの移行、各種システム設定などを行うことができるためのユーザインターフェースである。操作表示部１００５は、ディスプレイ，マウス，キーボードなどによって構成される。
【００１６】
ネットワーク１００６は、図１７に示すような外部の上流システムであるＨＩＳ１０１９に接続される。そして、ネットワーク１００６を介して図１に示すＸ線撮影システムは、ＨＩＳ１０１９から送信された検査オーダを受信する。
【００１７】
操作表示部１００５を通じてユーザが行う操作情報は、Ｘ線撮影システム制御部１００４において検出される。そして、Ｘ線撮影システム制御部１００４が処理した結果は操作表示部１００５の表示画面に反映される。
【００１８】
例えば操作表示部１００５において検索キーワードが入力された場合、患者情報管理部１０３２は、患者情報を記憶した不図示の記憶装置から対応する患者情報の検索を行う。そして、その結果は操作表示部１００５において表示される画面上の患者リストに反映される。
【００１９】
操作表示部１００５から患者情報が入力された後、撮影モードの移行が実行されると、患者情報受信部１０３３は患者情報の入力内容の判断を行う。そして、入力内容の誤りがなければ、患者情報管理部１０３２は、撮影準備のためにこれから撮影を行うことを撮影制御部１０３０に伝える。患者情報管理部１０３２は、さらに、画面の表示内容を撮影用に変更するため、操作表示部１００５に撮影モードへの移行を通知する。
【００２０】
Ｘ線撮影システム制御装置１００４は、コンピュータにより実現されており、本実施の形態ではコンピュータのファイルシステムを利用して検査オーダの送受信が行われる。例えば、外部の上流システムであるＨＩＳ１０１９において検査オーダである患者ＩＤが記述されたファイルがあらかじめ定められたフォルダに生成される。患者ＩＤとは、患者を識別するための識別情報である。そして、Ｘ線撮影システム制御装置１００４が定期的にファイルの生成の監視を行い、ファイルの生成を検出すると、検査オーダであるファイルを患者情報受信部１０３３が受け取る。そして、患者情報管理部１０３２は、ファイルに記述された患者ＩＤに基づいて、不図示の記憶装置から患者ＩＤに対応する患者情報を検索する。
【００２１】
検索が正常に行われ、患者情報が特定できると、撮影モードへの移行処理を行う。撮影モードへの移行処理として、撮影準備処理を実行させるためこれから撮影を行うことを撮影制御部１０３０に伝えると共に、ユーザに表示する内容を変更するため操作表示部１００５に表示内容の変更を通知する。
【００２２】
ここで、操作表示部１００５を介して手入力で患者ＩＤが入力されている途中に外部の上流のシステムであるＨＩＳ１０１９から指示があった場合、撮影モードに移行するかどうかをユーザに確認を求める必要がある。これは自動的に撮影モードに移行してしまうと、操作表示部１００５を介して手入力で入力されている患者ＩＤの入力内容を破棄、または一時的に中断してしまうためである。本実施の形態では、このような事態を避けるため、ユーザからの指示に応じて撮影モードが移行する。
【００２３】
＜表示画面の説明＞
図３は、Ｘ線撮影システムの操作表示部１００５に表示される画面３００１を示している。
【００２４】
患者の選択方法として、登録患者リストからの選択または患者情報の直接入力という方法があり、この選択方法を切り換えるための選択ボタン３００２が画面上部に設けられている。また、画面中央には患者リスト３００３が表示されており、これまで登録された患者のリストが表示されている。患者リスト３００３の下には検索キーワードを入力する領域３００４があり、ここにソフトウェアキーボード３００５を用いて入力した内容が表示される。
【００２５】
患者情報管理部１０３２は、検索キーワードが入力されると同時に前方一致検索を行い、患者リスト３００３に表示される内容を反映させる。検査情報処理部１０３１は、リストの中の患者を選択し、「次へ」ボタン３００６が選択されたことを検出すると、操作表示部１００５に撮影画面へ移行させる。システムボタン３００７が選択されたことを検出すると、システム設定画面へ移行し、ユーザに各種設定変更を行わせることができる。
【００２６】
図４は、患者情報の手入力画面３０１０を示している。入力項目としては患者ＩＤ３０１１、氏名３０１２、コメント３０１３、生年月日３０１４、性別３０１５がある。患者ＩＤ３０１１、氏名３０１２、コメント３０１３に関しては、画面下のソフトウェアキーボードを用いて入力される。「次へボタン」および「システムボタン」の選択を検出したときは図３に示した処理と同じ動作を行う。
【００２７】
図５は、撮影画面３０２０を示している。撮影された画像は画像の表示領域３０２１に表示される。検査情報処理部１０３１は、ボタン３０２２，３０２５の選択の検出に応じて、表示画像に対して拡大／縮小，回転，切り出し処理３０２５を実行する。撮影画面３０２０の上部には、患者情報入力画面で入力された患者情報３０２３が表示される。サムネイル表示領域３０２４は、撮影された画像の縮小画像を表示している。ボタン３０２６は、コントラスト，濃度を変更するためのものである。ボタン３０２７，３０２８は、撮影処理を中止，終了させるためのものである。
【００２８】
図６は、操作表示部１００５を介して患者情報の入力が行われていない状態で、外部の上流システムであるＨＩＳ１０１９から患者ＩＤが記述されたファイルをＸ線撮影システムが受信したときに表示されるウインドウ３０３０である。ウインドウ３０３０には、患者ＩＤの入力が上流システムから行われたことを示すアイコン３０３１とファイルに記述された患者ＩＤおよびこの患者ＩＤに対応する患者情報３０３２が表示される。指定された時間が経過するとこのウインドウの表示を終了させ、図５に示す撮影画面へと移行する。時間の設定は自由に行うことができる。時間設定を０秒とした場合、このウインドウ自体を表示しないようにすることも可能である。
【００２９】
図７は、操作表示部１００５を介して患者情報の入力が行われている状態で、上流システムであるＨＩＳ１０１９から患者ＩＤが記述されたファイルを受信した場合に表示されるウインドウ３０３５である。ウインドウ３０３０と同様に、ウインドウ３０３５には、患者ＩＤの入力が上流システムから行われたことを示すアイコンとファイルに記述された患者ＩＤおよびこの患者ＩＤに対応する患者情報が表示される。
【００３０】
図６に示すウインドウ３０３０との違いは、ＯＫボタン３０３４とＣＡＮＣＥＬボタン３０３６が選択のためのオブジェクトとして表示されることである。図４に示す手入力画面において何らかの入力がある状態で上流システム１００７から患者ＩＤが記述されたファイルが受信された場合、そのまま撮影に移行すると図４に示す手入力画面において入力された途中の内容が破棄または保留されてしまうことになる。図６では、入力された途中の内容を破棄してもよいかどうかを確認させるためにＯＫボタン３０３４とＣＡＮＣＥＬボタン３０３６を選択のためのオブジェクトとして表示させている。検査情報処理部１０３１は、ＯＫボタン３０３４の選択を検出すると、このウインドウ３０３５の表示を終了させ、検査処理を行うための撮影画面へと移行させる。検査情報処理部１０３１は、ＣＡＮＣＥＬボタン３０３６の選択を検出すると、上流システムから受信された患者ＩＤに基づく撮影画面の移行をせずに、元の手入力画面の状態に戻るように制御する。
【００３１】
図８は、Ｘ線撮影システムを設定するシステム画面３０４０を示している。システム画面３０４０は、図３に示すシステムボタン３００７の選択の検出にともなって表示される。システム画面３０４０では、患者情報入力設定ボタン３０４１、患者情報表示設定ボタン３０４２、終了ボタン３０４３、患者情報入力画面に戻るボタン３０４３が用意されている。患者情報入力設定ボタン３０４１を選択すると、上流システムからの患者情報の入力に関する設定を行うことができる。患者情報表示設定ボタン３０４２を選択すると、入力内容について確認表示する項目の設定を行うことができる。
【００３２】
図９は、患者情報入力設定ボタン３０４１の選択の検出に応じて表示される、上流システムからの患者情報の入力に関する設定を行うウインドウ３０５５である。図９において、ウインドウ３０５５では、機能の有効／無効の切り替え、患者情報のパス設定、および患者ＩＤ確認ウインドウの表示時間の設定を行うことができる。上流システムからの患者ＩＤの入力はここで有効設定が行われていた場合のみ行われる。患者ＩＤ確認ウインドウ表示時間設定を０にするとウインドウ表示は行わない。
【００３３】
図１０は、患者情報表示設定ボタン３０４２の選択の検出に応じて操作表示部１００５の画面上に表示される、患者情報の項目を設定するウインドウ３０８０である。表示項目３０８１として、ウインドウ、患者ＩＤ、氏名、生年月日、性別、入力手段が用意されている。それぞれの項目のチェックボックスをオンにすることで表示すべき項目を任意に設定可能となっている。これらの項目は、操作表示部１００５を介しての患者ＩＤの入力と上流システムからの患者ＩＤの入力とに分けて設定することができる。
【００３４】
なお、ウインドウ表示のチェックボックスをオフにするとすべての項目は連動して無効になる。表示項目の「入力手段」は、表示されている患者情報が操作表示部１００５を介しての入力に対応するものであるのかあるいは上流システムからの入力に対応するものであるのかを識別するための項目である。
【００３５】
図１１は、患者ＩＤを指定する患者指定ファイルに記述された内容を示すものである。患者指定ファイルには患者ＩＤのみがテキストデータとして記述されている。
【００３６】
図１２に示すウインドウ３０６０は、上流システムから指定された患者ＩＤに対応する患者情報が不図示の記憶装置に格納された患者リストの中に存在しない場合に表示するものである。ウインドウ３０６０において、エラーコード３０６１、エラーに関する情報３０６２、エラー内容３０６３が表示される。患者ＩＤに対応する患者情報が患者リストの中に存在しない場合、図３に示す患者入力画面の右上にエラーボタン３０６４が表示され、このボタンの選択が検出されると、ウインドウ３０６０が表示される。
【００３７】
図１３は、撮影画面３０２０の上部に表示される患者情報３０２３に関する表示である。上流システムから入力された患者ＩＤに対応する撮影処理の場合、その旨を示すアイコン３０７０が表示される。
【００３８】
＜全体の処理の説明＞
図２は、医療用検査システムとして動作するＸ線撮影システムのフローチャートである。Ｘ線撮影システムが起動すると、患者情報受信部１０３３は、操作表示部１００５を介して患者ＩＤの入力があるか調べる（Ｓ２００１）。もし、入力があった場合は、患者情報管理部１０３２によって患者ＩＤに対応する処理（Ｓ２００２）が行われる。入力項目に沿った処理（Ｓ２００２）としては、過去の患者に関する情報の検索、撮影モードへの移行、設定変更などがある。
【００３９】
次に、患者情報受信部１０３３は、ネットワークを介して上流システムであるＨＩＳ１０１９において生成された患者ＩＤが記述されたファイルを取得したかどうかを調べる（Ｓ２００３）。
【００４０】
ネットワークを介してファイルを受信した場合、患者情報管理部１０３２は、患者ＩＤが記述されたファイルの解析（Ｓ２００４）を行い、患者ＩＤを取得する（Ｓ２００５）。
【００４１】
次に、患者情報管理部１０３２は、取得した患者ＩＤと同じ患者ＩＤを不図示の記憶装置が登録しているか否かを確認するために患者ＩＤの検索を行う（Ｓ２００６）。
【００４２】
患者情報管理部１０３２は、不好きの記憶装置に患者ＩＤが登録されているかどうかの判断を行う（Ｓ２００７）。もし該当する患者ＩＤが存在しない場合は、患者ＩＤがみつからなかったというエラー表示を行い（Ｓ２００８）、最初の入力待ち状態に戻る。
【００４３】
患者ＩＤが検索された場合、患者情報管理部１０３２は、検索された患者ＩＤに関連付けられた氏名や性別、生年月日といった情報を記憶装置から取得し、検査対象の患者の情報として確定する（Ｓ２００９）。このとき、患者情報管理部１０３２は、操作表示部１００５を介してデータが入力されているか否かを判断する（Ｓ２０１０）。
【００４４】
検査情報処理部１０３１は、表示画面内の患者ＩＤや氏名、生年月日などの入力項目に一文字でも入力があれば入力中と判断し、一文字の入力も無ければ入力作業は行われていないと判断する。なにも入力されていないと判断された後は、検査情報処理部１０３１は、患者に関する情報を画面上に表示させるための表示時間に関する情報を取得する（Ｓ２０１１）。
【００４５】
表示時間とは、解析された患者ＩＤに関連付けられた患者情報を表示する時間である。上流システムであるＨＩＳ１０１９から患者の指定が行われた場合は確認のため患者情報を表示する。検査情報処理部１０３１は、一定時間が経過するとこの情報の表示を消えるように制御する。なお、操作表示部１００５を介して患者情報が入力された場合は、ユーザが自ら入力や選択を行っているためこのような処理を行うことはしない。
【００４６】
検査情報処理部１０３１は、取得された表示時間に基づいて操作表示部１００５に患者情報を表示させる（Ｓ２０１２）。検査情報処理部１０３１は、表示時間が経過するまでは操作表示部１００５を介して行う他の操作をできないように制御する（Ｓ２０１３）。検査情報処理部１０３１は、表示時間が経過すると撮影画面を表示させるよう操作表示部１００５を制御し、撮影制御部１０３０に撮影処理を実行するように通知する（Ｓ２０１４）。
【００４７】
一方、Ｓ２０１０において、操作表示部１００５を介して入力されているデータがあると判断された場合、検査情報処理部１０３１は、図７に示すＯＫ・Ｃａｎｃｅｌボタンを有する患者情報のウインドウを表示させる（Ｓ２０１５）。このウインドウは、ＯＫ・Ｃａｎｃｅｌボタンの選択が検出されるまで消去されない。
【００４８】
検査情報処理部１０３１は、選択のオブジェクトであるＯＫボタンが選択されたことを検出する（Ｓ２０１６）。すると、検査情報処理部１０３１は、検査処理に移行するために、撮影画面を表示させるように操作表示部１００５を表示させ、撮影制御部１０３０に撮影処理を開始するよう通知する（Ｓ２０１４）。検査情報処理部１０３１は、Ｃａｎｃｅｌボタンが選択されたことを検出すると（Ｓ２０１７）、上流のシステムであるＨＩＳ１０１９からの患者ＩＤに対応する撮影処理の実行はキャンセルされ、操作表示部１００５を介した患者情報の入力待ち状態に戻る。
【００４９】
このように、Ｘ線撮影システム側において患者情報が入力途中の状態で、ネットワークを介して患者ＩＤが記述されたファイルが受信された場合、ＯＫボタン３０３４とＣＡＮＣＥＬボタン３０３６とを表示させる。これによって、どちらの入力を優先するかユーザが容易に選択できる。この流れによって、入力手段および第一の入力手段の入力状況によって確認ウインドウの内容を変え、ユーザになるべく負荷のないＸ線撮影システムを提供している。
【００５０】
なお、図７に示すウインドウに類似した第２の実施形態として、図１５に示すようにＯＫボタン３０３４のみを表示させてもよい。図１５は、上流システムからネットワークを介して受信されたファイルに記述された患者ＩＤに対応する患者情報を表示するウインドウ３０３３である。先述したウインドウ３０３０との違いは、選択のためのオブジェクトとしてＯＫボタン３０３４のみが表示されていることである。ＯＫボタン３０３４の選択が検出されると、ウインドウ３０３３から図５に示す撮影画面が表示される。
【００５１】
図１４は、ＯＫボタン３０３４のみを有する患者情報ウインドウの表示を行うＸ線撮影システムのフローチャートである。図２に示す符号と同じものは同様の処理が実行されるものとしてその説明は省略する。
【００５２】
Ｓ２０１０において、検査情報処理部１０３１は、ネットワークを介して患者ＩＤが記述されたファイルが受信されたときに操作表示部１００５を介して入力されているデータがあると判断した場合、Ｓ２１１５に進む。Ｓ２１１５において、検査情報処理部１０３１は、図１５に示すようなＯＫボタンを有する患者情報のウインドウを操作表示ウインドウに表示させる（Ｓ２１１５）。このウインドウは、ＯＫボタンの選択が検出されるまで消去されない。
【００５３】
検査情報処理部１０３１は、ＯＫボタンが選択されたことを検出する（Ｓ２１１６）。すると、検査情報処理部１０３１は、検査処理に移行するために、撮影画面を表示させるように操作表示部１００５を表示させ、撮影制御部１０３０に撮影処理を開始するよう通知する（Ｓ２０１４）。
【００５４】
このように、必要な状況にだけユーザの確認を求めることでなるべく負荷のないＸ線撮影システムを提供できる。
【００５５】
第３の実施形態として、操作表示部１００５を介して患者情報が入力されているときに、ネットワークを介して上流のシステムから送信されたファイルに記述された患者ＩＤに対応する撮影処理を予約する形態を説明する。
【００５６】
図１６は、第３の実施形態を説明するためのＸ線撮影システムのフローチャートである。図２に示す符号と同じものは同様の処理が実行されるものとしてその説明は省略する。
【００５７】
Ｓ２０１０において、検査情報処理部１０３１は、ネットワークを介して患者ＩＤが記述されたファイルが受信されたときに操作表示部１００５を介して入力されている患者情報があると判断した場合、Ｓ２２１１に進む。そして、Ｓ２２１１において、患者情報管理部１０３２は、ネットワークを介して受信したファイルに記述された患者ＩＤに対応する患者情報を検査予約情報として不図示の記憶装置に登録させる。
【００５８】
一方、Ｓ２００３においてネットワークを介して患者ＩＤが記述されたファイルが受信されていない場合、患者情報受信部１０３３は、操作表示部１００５を介して入力された情報があるか否かを判断する。
【００５９】
患者情報受信部１０３３は、操作表示部１００５を介して情報が入力された場合、その入力が何であったか判断する。まず、患者情報受信部１０３３は、患者情報の入力かどうか判断（Ｓ２２１３）する。
【００６０】
患者情報管理部１０３３は、患者情報の入力だった場合は、入力情報に関して、最大文字列長や入力可能文字などをチェックする（Ｓ２２１４）。そしてチェックの結果問題なければ、検査情報処理部１０３１は、操作表示部１００５に表示される患者情報を更新（Ｓ２２１５）する。その後、Ｓ２００３の処理に戻る。
【００６１】
一方、患者情報管理部１０３３は、患者情報が入力されたものではないと判断した場合、撮影処理に移行する入力であるか否かを判断する（Ｓ２２１６）。撮影処理に移行する入力であった場合、患者情報管理部１０３３は、操作表示部１００５を介して入力された患者情報を検査対象の患者情報として取得する。
【００６２】
Ｓ２０１４において、撮影制御部１０３０は、取得した患者情報に対応する撮影処理を実行する。撮影処理が終了したことを撮影制御部１０３０から通知されると、患者情報管理部１０３２は、検査予約が登録された患者情報が存在するかどうか不図示の記憶装置を確認する（Ｓ２２１９）。登録された患者情報が存在する場合、その登録された患者情報を検査対象の患者情報として取得する（Ｓ２２２０）。同様にＳ２０１４において、撮影制御部１０３０は、取得した患者情報に対応する撮影処理を実行する。
【００６３】
以上説明したように、第３の実施の形態では、本実施形態では、ネットワークを介して上流のシステムから送信されたファイルに記述された患者ＩＤに対応する患者情報を検査予約として保存しておく。これによって、操作表示部１００５を介して行われるユーザの入力操作を妨げることなく検査を進めることができる。そして、ユーザの入力作業が終わってから保存された入力内容に従って検査を行うことで入力されたすべての検査を行うことができる。
【００６４】
以上、本発明にかかる実施形態を説明したが、上記実施形態は、その一例であって、画面表示項目やファイル形式は上記実施形態に限られるものではなく、適宜変更しても良い。
【００６５】
例えば、ネットワークを介して上流システムから送信されたファイルを受信した場合、「ネットワークから入力が行われました」というような情報を操作表示部１００５の表示画面上に表示させてもよい。
【００６６】
なお、実施形態では、医療用検査システムとしてＸ線撮影システムに適用する例を説明したが、本発明は、眼底撮影システムなどその他の病理診断に用いられる医療用検査管理システムでも適用することができる。その場合、図５の撮影画面を別のＧＵＩに変更すれば良い。
【００６７】
また、通常、コンピュータプログラムはＣＤ−ＲＯＭ等のコンピュータ可読記録媒体に格納され、それをシステムの記憶装置にインストールすることで実行可能になる。
【図面の簡単な説明】
【００６８】
【図１】実施形態におけるＸ線撮影システムの構成図である。
【図２】第一の実施形態におけるＸ線撮影システムの処理手順を示すフローチャートである。
【図３】患者情報入力画面の例を示す図である。
【図４】患者情報入力画面の例を示す図である。
【図５】撮影画面の例を示す図である。
【図６】入力患者情報の確認画面の例を示す図である。
【図７】入力患者情報の確認画面の例を示す図である。
【図８】患者情報入力手段の設定方法の例を示す図である。
【図９】患者情報入力手段の設定方法の例を示す図である。
【図１０】患者情報表示項目の設定方法の例を示す図である。
【図１１】患者指定ファイルを用いて患者情報を入力する場合の例を示す図である。
【図１２】指定された患者情報が無い場合のエラー表示の例を示す図である。
【図１３】撮影画面の入力情報表示の例を示す図である。
【図１４】第二の実施形態におけるＸ線撮影システムの処理手順を示すフローチャートである。
【図１５】入力患者情報の確認画面の例を示す図である。
【図１６】第三の実施形態におけるＸ線撮影システムの処理手順を示すフローチャートである。
【図１７】従来のＸ線撮影システムの構成を説明する図である。
【符号の説明】
【００６９】
１０００  Ｘ線管球
１００１  Ｘ線発生装置制御部
１００２  センサユニット
１００３  撮影ユニット
１００４  Ｘ線撮影システム制御装置
１００５  操作表示部
１００７  上流システム
１０３０  撮影制御部
１０３１  検査情報処理部
１０３２  患者情報管理部
１０３３  患者情報受信部
【図１】
2008276288.tif 000003
【図２】
2008276288.tif 000004
【図３】
2008276288.tif 000005
【図４】
2008276288.tif 000006
【図５】
2008276288.tif 000007
【図６】
2008276288.tif 000008
【図７】
2008276288.tif 000009
【図８】
2008276288.tif 000010
【図９】
2008276288.tif 000011
【図１０】
2008276288.tif 000012
【図１１】
2008276288.tif 000013
【図１２】
2008276288.tif 000014
【図１３】
2008276288.tif 000015
【図１４】
2008276288.tif 000016
【図１５】
2008276288.tif 000017
【図１６】
2008276288.tif 000018
【図１７】
2008276288.tif 000019